(57)【要約】【課題】自走式機械設備等が移動する際に発生する振動により、ユーティリティーなどを供給するホースおよび／または配線が磨耗劣化することを根本的に低減することができるケーブルベアのクランプ装置を提供する。【解決手段】複数のホースおよび／または配線を並列に保持するケーブルベアのクランプ装置において、前記ホースおよび／または配線を保持するクランプとケーブルベア本体とを摺動自在に配設して、前記ケーブルベア本体の移動により発生する振動を吸収することを特徴とするケーブルベアのクランプ装置。【選択図】　図２
2004032956.tif 000002
【特許請求の範囲】
【請求項１】
複数のホースおよび／または配線を並列に保持するケーブルベアのクランプ装置において、前記ホースおよび／または配線を保持するクランプとケーブルベア本体とを摺動自在に配設して、前記ケーブルベア本体の移動により発生する振動を吸収することを特徴とするケーブルベアのクランプ装置。
【請求項２】
前記ホースおよび／または配線を保持するクランプとケーブルベア本体とを遊びを設けて嵌め合わせることを特徴とする請求項１に記載のケーブルベアのクランプ装置。
【請求項３】
前記ホースおよび／または配線を保持するクランプをケーブルベア本体に掛止することを特徴とする請求項１または請求項２に記載のケーブルベアのクランプ装置。
【請求項４】
前記ホースおよび／または配線を複数の群に分けて前記クランプに配設することを特徴とする請求項１乃至請求項３に記載のケーブルベアのクランプ装置。
【発明の詳細な説明】
【０００１】
【発明の属する技術分野】
本発明は、自走式機械設備等に必要なユーティリティーなどを供給する複数のホースおよび／または配線を並列に保持するケーブルベアのクランプ装置に関する。
具体的には、主として往復動する装置に油圧や電力などを供給する際に用いられる、片方の端が固定されており、他の端が装置に追従して動くケーブルベア内のホースや配線を保持するクランプ装置に関する。
【０００２】
【従来の技術】
自走式機械設備等に油圧や電力などのユーティリティーなどを供給するホースや配線などは、フレキシブルな材料を用いることにより機械設備の移動に追従するようにしている。
図１に、製鉄用の機械設備であるエッジャーロール圧延機に用いられるケーブルベアの例を示す。
図１の上側が、エッジャーロール圧延機の平面図であり、下側が立面図である。
この圧延機は、鋼板１を圧延する熱間圧延機の入り側に設置され、鋼板１の側面からエッジャーロール２により幅圧下を行うことにより、板幅を減少させる設備であって、エッジャーロール２は油圧シリンダー３により往復動する構造となっている。
【０００３】
この油圧シリンダー３に必要な油圧や電力を供給するホースや配線は、エッジャーロール圧延機の下部に設置されているケーブルベア４に配設されている。
従来のケーブルベアは、ホースや配線を固定するクランプは、ケーブルベア本体に固定して取付けられていた。
そのため、機械設備の移動に伴って発生する振動によりホースや配線が振動し、クランプと擦れ合って磨耗劣化するという問題があった。
また、ホースや配線が多数あっても、従来のクランプ装置では、これらをまとめて固定していたため、長さの違いや曲げ強度の違いがあるホースや配線が、相互に振動し影響を与えるため、１本だけの擦れ合いにおさまらず、まとめられているホースや配線の全てがクランプと擦れ合い、磨耗劣化していた。
【０００４】
この問題を軽減する方法として、例えば、実開昭５８−９３３６７号公報には、クランプ装置にローラを設けることにより、ホースや配線を固定せずに、転がり接触させることにより摩擦抵抗を小さくする方法が開示されている。
しかし、この方法では、ホースや配管とクランプとの摩擦を軽減することはできるが、ホースや配管とクランプとが擦れ合うことには変わりがないため、磨耗劣化を根本的に低減することはできなかった。
【０００５】
【発明が解決しようとする課題】
本発明は、前述のような従来技術の問題点を解決し、自走式機械設備等が移動する際に発生する振動により、ユーティリティーなどを供給するホースおよび／または配線が磨耗劣化することを根本的に低減することができるケーブルベアのクランプ装置を提供することを課題とする。
【０００６】
【課題を解決するための手段】
本発明は、前述の課題を解決するために鋭意検討の結果なされたものであり、自走式機械設備等にユーティリティーなどを供給するホースおよび／または配線を保持するクランプとケーブルベア本体とを摺動自在に配設することにより、ホースや配線の磨耗劣化を根本的に低減することができるケーブルベアのクランプ装置を提供するものであり、その要旨とするところは、特許請求の範囲に記載した通りの下記内容である。
【０００７】
（１）複数のホースおよび／または配線を並列に保持するケーブルベアのクランプ装置において、前記ホースおよび／または配線を保持するクランプとケーブルベア本体とを摺動自在に配設して、前記ケーブルベア本体の移動により発生する振動を吸収することを特徴とするケーブルベアのクランプ装置。
（２）前記ホースおよび／または配線を保持するクランプとケーブルベア本体とを遊びを設けて嵌め合わせることを特徴とする（１）に記載のケーブルベアのクランプ装置。
【０００８】
（３）前記ホースおよび／または配線を保持するクランプをケーブルベア本体に掛止することを特徴とする（１）または（２）に記載のケーブルベアのクランプ装置。
（４）前記ホースおよび／または配線を複数の群に分けて前記クランプに配設することを特徴とする（１）乃至（３）に記載のケーブルベアのクランプ装置。
【０００９】
【発明の実施の形態】
本発明の実施の形態を、図２乃至図４を用いて詳細に説明する。
図２は、本発明におけるケーブルベアのクランプ装置の構造を示す図である。図２において、ケーブルベア本体５は、クランプ６，７，８を保持する上下の軸９とリングプレート１０とからなり、これが長手方向に連なった構造となっているので、機械装置の移動に追従して移動できる。
冷却水やエア用などのホースが並列に保持されているクランプ６には、上下に穴が空けられており、この穴と、ケーブル本体５の軸９とを遊びを設けて嵌め合せた構造となっている。
【００１０】
図２のＡ−Ａ断面を図３に示すように、クランプ６と軸９とが遊びを設けて嵌め合わせられているので、機械設備の移動により、ケーブルベア本体が振動しても、クランプ６と軸９とが摺動することにより振動を吸収することができる。そのため、クランプに保持されているホースや配線とクランプとが擦れ合って生ずる磨耗劣化を根本的に低減することができ、ホースや配線の磨耗寿命を著しく延長することができる。
【００１１】
油圧用のホースを保持するクランプ７，８には、掛止部材１１が設けられており、この掛止部材１１により、ケーブルベア本体５の軸９に掛止されている。
図２のＢ−Ｂ断面を図４に示すように、クランプ７と軸９とが、掛止部材１１により掛止されているので、機械設備の移動により、ケーブルベア本体が振動しても、クランプ７と軸９とが摺動することにより振動を吸収することができるので、クランプに保持されているホースとクランプとが擦れ合って生ずる磨耗劣化を根本的に低減することができ、ホースや配線の磨耗寿命を著しく延長することができる。
【００１２】
また、上記の実施形態のように、高圧の油圧用ホースと低圧の冷却水やエア用のホースとを異なる群として、別々のクランプに配設することによって、特に、高圧油圧用ホースなどの振動の影響が、冷却水やエア用のホースなど低圧のホースに伝わらないので、それぞれのホースや配線に応じた磨耗進行とすることができる。
【００１３】
【実施例】
本発明のケーブルベアのクランプ装置を、図１に示す、熱間圧延用のエッジャーロール圧延機に適用したところ、設置後７ケ月間、圧延機の操業を行ってもホースの磨耗劣化は認められず、従来に比べて著しい寿命延長効果が確認できた。
【００１４】
【発明の効果】
本発明によれば、自走式機械設備等にユーティリティーなどを供給するホースおよび／または配線を保持するクランプとケーブルベア本体とを摺動自在に配設することにより、ホースや配線の磨耗劣化を根本的に低減することができるケーブルベアのクランプ装置を提供することができ、具体的には、以下のような産業上有用な著しい効果を奏する。
【００１５】
１）ホースや配線とクランプとの擦れ合いによる磨耗劣化を根本的に低減できるので、ホースや配線の寿命を従来に比べて数倍に延長することができる。
２）ホースや配線の寿命が延長することに伴って、点検周期を延長することができるので、点検負荷を削減することができる。
３）ホースや配線の摩耗寿命を延長することでホース破れや　配線短絡を防止でき、安全環境防災上も有利である。
４）ホースや配線を群ごとに分けることにより、それぞれのホースや配線に応じた磨耗進行とすることができるうえ、ホースや配線の取替えが容易になり迅速に行うことができる。
【図面の簡単な説明】
【図１】製鉄用の機械設備であるエッジャーロール圧延機に用いられるケーブルベアの例示する図である。
【図２】本発明におけるケーブルベアのクランプ装置の構造を示す図である。
【図３】図２のＡ−Ａ断面図である。
【図４】図２のＢ−Ｂ断面図である。
【符号の説明】
１：鋼板、
２：エッジャーロール、
３：油圧シリンダー、
４：ケーブルベア、
５：ケーブルベア本体、
６，７，８：クランプ、
９：軸、
１０：リングプレート、
１１：掛止部材、
【図１】
2004032956.tif 000003
【図２】
2004032956.tif 000004
【図３】
2004032956.tif 000005
【図４】
2004032956.tif 000006